(57)【要約】【課題】  印刷結果を重ねることで冊子とした際に、体裁の良い冊子印刷結果を得ることが可能な画像形成システム、画像形成装置、及び画像形成方法を提供する。【解決手段】  冊子を構成する各ページに対応するページデータを入力する入力部と、前記ページデータから前記冊子の最も外側に位置する第１の最外ページと第２の最外ページとを判別するページ判別部と、前記第１の最外ページと前記第２の最外ページとの間に位置するページ数から前記連続媒体上における前記第１の最外ページと前記第２の最外ページとの間の非印刷領域調整量を算出する調整量算出部と、前記調整量算出部による算出結果に基づき、前記連続媒体に対して冊子印刷を行う印刷部とを備えた画像形成システム、画像形成装置、及びこれに基づく画像形成方法。【選択図】  図１
2018043406.tif 000002
【特許請求の範囲】
【請求項１】
連続媒体に対し、冊子印刷を行う画像形成システムであって、
冊子を構成する各ページに対応するページデータを入力する入力部と、
前記ページデータから前記冊子の最も外側に位置する第１の最外ページと第２の最外ページとを判別するページ判別部と、
前記第１の最外ページと前記第２の最外ページとの間に位置するページ数から前記連続媒体上における前記第１の最外ページと前記第２の最外ページとの間の非印刷領域調整量を算出する調整量算出部と、
前記調整量算出部による算出結果に基づき、前記連続媒体に対して冊子印刷を行う印刷部とを備えること
を特徴とする画像形成システム。
【請求項２】
前記調整量算出部は、前記連続媒体の媒体厚みを加味して前記連続媒体上における前記第１の最外ページと前記第２の最外ページとの間の非印刷領域調整量を算出すること
を特徴とする請求項１に記載の画像形成システム。
【請求項３】
前記ページ判別部は各ページに対応する全てのページデータの中に前記第１の最外ページと前記第２の最外ページの両方が含まれていると判別した場合、前記印刷部は前記第１の最外ページの印刷完了後、フィード動作を行い前記第２の最外ページの印刷を行うこと
を特徴とする請求項１又は請求項２に記載の画像形成システム。
【請求項４】
前記ページ判別部は各ページに対応する全てのページデータの中に前記第１の最外ページと前記第２の最外ページとの何れかが含まれていると判別した場合、前記印刷部はフィード動作の要否に基づき、前記第１の最外ページと前記第２の最外ページとの印刷順序を変更すること
を特徴とする請求項１乃至請求項３の何れか１項に記載の画像形成システム。
【請求項５】
前記ページ判別部は各ページに対応する全てのページデータの中に前記第１の最外ページと前記第２の最外ページとの何れも含まれていないと判別した場合、前記印刷部は前記第１の最外ページと前記第２の最外ページとの間に位置するページの印刷を行うこと
を特徴とする請求項１乃至請求項４の何れか１項に記載の画像形成システム。
【請求項６】
前記調整量算出部は前記第１の最外ページと前記第２の最外ページとの間に位置するページ毎に前記非印刷領域調整量を算出すること
を特徴とする請求項１に記載の画像形成システム。
【請求項７】
各ページに対応する全てのページデータを２Ｕｐ両面印刷時の出力形式に再配置するページ再配置部を備え、
前記調整量算出部は前記ページ再配置部による再配置結果に基づき、前記第１の最外ページと前記第２の最外ページとの間に位置するページ数を判断し、前記非印刷領域調整量を算出することを特徴とする請求項６に記載の画像形成システム。
【請求項８】
連続媒体に対し、冊子印刷を行う画像形成装置であって、
冊子を構成する各ページに対応するページデータの入力を受付ける受付部と、
前記ページデータから前記冊子の最も外側に位置する第１の最外ページと第２の最外ページとを判別するページ判別部と、
前記第１の最外ページと前記第２の最外ページとの間に位置するページ数から前記連続媒体上における前記第１の最外ページと前記第２の最外ページとの間の非印刷領域調整量を算出する調整量算出部と、
前記調整量算出部による算出結果に基づき、前記連続媒体に対して冊子印刷を行う印刷部とを備えること
を特徴とする画像形成装置。
【請求項９】
前記調整量算出部は、前記連続媒体の媒体厚みを加味して前記連続媒体上における前記第１の最外ページと前記第２の最外ページとの間の非印刷領域調整量を算出すること
を特徴とする請求項８に記載の画像形成装置。
【請求項１０】
連続媒体に対し、冊子印刷を行う画像形成方法であって、
冊子を構成する各ページに対応するページデータを入力する入力ステップと、
前記ページデータから前記冊子の最も外側に位置する第１の最外ページと第２の最外ページとを判別するページ判別ステップと、
前記第１の最外ページと前記第２の最外ページとの間に位置するページ数から前記連続媒体上における前記第１の最外ページと前記第２の最外ページとの間の非印刷領域調整量を算出する調整量算出ステップと、
前記調整量算出部による算出結果に基づき、前記連続媒体に対して冊子印刷を行う印刷ステップとを備えること
を特徴とする画像形成方法。
【請求項１１】
前記調整量算出ステップでは、前記連続媒体の媒体厚みを加味して前記連続媒体上における前記第１の最外ページと前記第２の最外ページとの間の非印刷領域調整量を算出すること
を特徴とする請求項１０に記載の画像形成方法。
【発明の詳細な説明】
【技術分野】
【０００１】
本発明は、画像形成システム、画像形成装置、及び画像形成方法に関するものであって、特に冊子印刷に関するものである。
【背景技術】
【０００２】
例えば、特許文献１に示されるように、一枚の用紙に対して２Ｕｐ両面印刷を行い、複数枚の印刷結果を重ねて半分に折る、又は印刷結果を半分に折って重ねることで簡易的な冊子とする製本技術が知られている（以降、このような印刷結果を出力する機能を冊子印刷と称する）。
【先行技術文献】
【特許文献】
【０００３】
【特許文献１】特開２０１１−１６７９８０号公報
【発明の概要】
【発明が解決しようとする課題】
【０００４】
しかしながら、従来技術に係る冊子印刷では、２Ｕｐ印刷を行うためにページに形成されるページ画像が無用に縮小されたり、表紙、裏表紙等の外側に位置するページの嵩が足りずに内側のページがはみ出してしまうといった問題があった。
【０００５】
本発明はこのような実状に鑑みてなされたものであり、本発明の課題は、印刷結果を重ねることで冊子とした際に、体裁の良い冊子印刷結果を得ることが可能な画像形成システム、画像形成装置、及び画像形成方法を提供することである。
【課題を解決するための手段】
【０００６】
上記課題を解決するために、本発明に係る画像形成システムは、連続媒体に対し、冊子印刷を行う画像形成システムであって、冊子を構成する各ページに対応するページデータを入力する入力部と、前記ページデータから前記冊子の最も外側に位置する第１の最外ページと第２の最外ページとを判別するページ判別部と、前記第１の最外ページと前記第２の最外ページとの間に位置するページ数から前記連続媒体上における前記第１の最外ページと前記第２の最外ページとの間の非印刷領域調整量を算出する調整量算出部と、前記調整量算出部による算出結果に基づき、前記連続媒体に対して冊子印刷を行う印刷部とを備えることを特徴としている。
【０００７】
また、本発明に係る画像形成装置は、連続媒体に対し、冊子印刷を行う画像形成装置であって、冊子を構成する各ページに対応するページデータの入力を受付ける受付部と、前記ページデータから前記冊子の最も外側に位置する第１の最外ページと第２の最外ページとを判別するページ判別部と、前記第１の最外ページと前記第２の最外ページとの間に位置するページ数から前記連続媒体上における前記第１の最外ページと前記第２の最外ページとの間の非印刷領域調整量を算出する調整量算出部と、前記調整量算出部による算出結果に基づき、前記連続媒体に対して冊子印刷を行う印刷部とを備えることを特徴としている。
【０００８】
さらに、本発明に係る画像形成方法は、連続媒体に対し、冊子印刷を行う画像形成方法であって、冊子を構成する各ページに対応するページデータを入力する入力ステップと、前記ページデータから前記冊子の最も外側に位置する第１の最外ページと第２の最外ページとを判別するページ判別ステップと、前記第１の最外ページと前記第２の最外ページとの間に位置するページ数から前記連続媒体上における前記第１の最外ページと前記第２の最外ページとの間の非印刷領域調整量を算出する調整量算出ステップと、前記調整量算出部による算出結果に基づき、前記連続媒体に対して冊子印刷を行う印刷ステップとを備えることを特徴としている。
【発明の効果】
【０００９】
本発明によれば、印刷結果を重ねることで冊子とした際に、体裁の良い冊子印刷結果を得ることが可能な画像形成システム、画像形成装置、及び画像形成方法を提供することができる。
【図面の簡単な説明】
【００１０】
【図１】本発明の第１の実施形態に係る画像形成システム３００の構成例を説明する機能ブロック図である。
【図２】第１の実施形態に係る冊子印刷動作を説明するフローチャートである。
【図３】ページデータの並び替えを模式的に表した図である。
【図４】第２の実施形態に係る冊子印刷動作を説明するフローチャートである。
【図５】ページデータのレイアウトを説明する図である。
【図６】第２の実施形態に係る冊子印刷動作による出力結果を表した図である。
【発明を実施するための形態】
【００１１】
以下、本発明の実施形態について図面を参照して説明する。なお、本発明は以下の記述に限定されるものではなく、本発明の要旨に逸脱しない範囲において適宜変更可能である。
【００１２】
［第１の実施形態］
図１は、本発明の第１の実施形態に係る画像形成システム３００の構成例を説明する機能ブロック図である。画像形成システム３００は、画像形成装置１００と入力部としても機能するコンピュータ２００とが、例えば、ＬＡＮ（Local Area Network）ケーブル、ＵＳＢ（Universal Serial Bus）ケーブル等の電気信号線４００で接続されることにより構成されている。
【００１３】
画像形成装置１００は、例えば、ロール紙等の連続した記録媒体（以下、連続媒体と称する）の表裏両面に画像形成が可能となるように構成されている。このような画像形成装置１００は、ページ判別部及び調整量算出部を兼ねたコントロール部１０１と、入力部又は受付部としての通信部１０２と、記憶部１０３と、印刷部１０４と、媒体切断部１０５とを備える。
【００１４】
コントロール部１０１は、例えば、ＣＰＵ（Central Processing Unit）等の演算手段を備え、画像形成装置１００における制御動作、印刷動作等を統括的に制御する。
【００１５】
通信部１０２は、例えば、ネットワークカード、ＵＳＢコントローラ等の通信制御手段を備え、コントロール部１０１による制御に基づき電気信号線４００を介して接続されたコンピュータ２００との情報の送受信を制御する。
【００１６】
記憶部１０３は、例えば、ＲＡＭ（Random Access Memory）、フラッシュメモリ、ＨＤＤ（Hard Disk Drive）等の情報書き換え可能な記憶装置を備え、自身の装置情報や、通信部１０２を介して受信した印刷データを蓄積ジョブとして蓄積したり、コントロール部１０１が処理中の一時データを格納する。また、記憶部１０３は、各種制御プログラムや、アプリケーションプログラム等を格納するために特化したＲＯＭ（Read Only Memory）等の不揮発性記憶装置を備えてもよい。コントロール部１０１は記憶部１０３に格納された各種制御プログラム、アプリケーションプログラム等を読み込み実行することで、各種機能を実現することができる。
【００１７】
印刷部１０４は、例えば、電子写真方式、インクジェット方式等の印刷エンジンに加え、連続媒体を装置内で搬送する各種搬送ローラ、連続媒体の装置内位置を検出する各種検出センサ等を有し、装置内における連続媒体の搬送を制御する媒体搬送手段を備え、入力された印刷データに基づき、連続媒体に画像を印刷する。また、印刷部１０４は、コントロール１０１の制御に基づき、必要であれば表面、裏面の何れかの片面に印刷が行われた連続媒体に対してフィード、バックフィード等の動作を行うことにより印刷面を反転させ、既印刷面の裏面に印刷を行う、所謂、両面印刷が可能となるように構成されている。
【００１８】
媒体切断部１０５は、連続媒体を所定の媒体幅に切断するためのカッター部を備え、コントロール部１０１による制御部に基づき、連続媒体を所定の媒体幅に切断する。
【００１９】
コンピュータ２００は、ユーザが作成した印刷データを画像形成装置１００に対して出力することが可能となるように構成されている。このようなコンピュータ２００は、記憶部２０１と、表示部２０２と、制御部２０３と、操作部２０４と、通信部２０５とを備える。
【００２０】
記憶部２０１は、例えば、ＲＡＭ、フラッシュメモリ、ＨＤＤ等の情報書き換え可能な記憶装置を備え、自身の装置情報や、ユーザが作成した印刷データを蓄積ジョブとして蓄積したり、制御部２０３が処理中の一時データを格納する。また、記憶部２０１は、オペレーティングシステム、各種制御プログラム、アプリケーションプログラム等を格納するために特化したＲＯＭ等の不揮発性記憶装置を備えてもよい。制御部２０３は記憶部２０１に格納されたオペレーティングシステム、各種制御プログラム、アプリケーションプログラム等を読み込み実行することで、各種機能を実現することができる。
【００２１】
表示部２０２は、例えば、ＬＣＤ（Liquid Crystal Display）、ＣＲＴ(Cathode Ray Tube)ディスプレイ、有機ＥＬディスプレイ等の情報表示装置を備え、例えば、アプリケーションプログラムの実行に伴い生成したＧＵＩ（Graphical User Interface）を表示し、ユーザに対して各種情報を表示する。
【００２２】
制御部２０３は、例えば、ＣＰＵ等の演算手段を備え、コンピュータ２００における制御動作、オペレーティングシステム実行動作、アプリケーションプログラム実行動作等を統括的に制御する。
【００２３】
操作部２０４は、例えば、キーボード、マウス、タッチパネル等の情報入力手段を備え、表示部２０２を介して表示された表示内容に対するユーザの操作入力を受付ける。
【００２４】
通信部２０５は、例えば、ネットワークカード、ＵＳＢコントローラ等の通信制御手段を備え、制御部２０３による制御に基づき電気信号線４００を介して接続された画像形成装置１００との情報の送受信を制御する。
【００２５】
なお、図１に示さていないが、コンピュータ１００、画像形成装置２００の他にも他のコンピュータ、画像形成装置が電気信号線４００を介して同様に接続されていてもかまわない。
【００２６】
次に、本実施形態に係る冊子印刷動作について図２及び図３を用いて説明する。図２は本実施形態に係る冊子印刷動作を説明するフローチャートであり、図３（ａ）及び（ｂ）はページデータの並び替えを模式的に表した図であり、図３（ｃ）は本実施形態に係る冊子印刷動作による出力結果を表した図である。なお、本発明の説明において、ユーザがコンピュータ２００のアプリケーションソフトを用い、所定の媒体幅（例えば、短手方向幅：Ｘ，長手方向幅：Ｙ）で作成した各ドキュメントに対応する印刷データをページデータと称するものとする。
【００２７】
まず、図２において、コンピュータ２００を介してユーザから作成したドキュメントに基づく冊子印刷の指示がなされると、画像形成装置１００のコントロール１０１は、印刷対象のドキュメントを記憶部１０３にスプールし、当該ドキュメントに基づくページデータの並び替えを行う（ステップＳ１００）。
【００２８】
図３（ａ）はページデータの並び替えを行う前のページ並びを表しており、図中左方向から右方向にかけて表紙に対応するドキュメント、１〜ｎページのドキュメント、裏表紙に対応するドキュメントが作成され、作成された順にページが並んでいる様子を示している。コントロール部１０１は、ページデータの並び順として、裏表紙の有無や冊子の閉じ位置、排紙順、印刷部１０４の性能等を加味し、適切な並び替えを行う。なお、コントロール部１０１は、表紙、裏表紙に対応するページデータだけでなく、ドキュメントの全ページデータの並び替えやページデータの回転を行うこともある。
【００２９】
図３（ｂ）はコントロール部１０１によりページデータの並び替えが行われた結果を表している。図３（ｂ）に示されるように、コントロール部１０１により裏表紙に対応するドキュメントのページデータが並び順の先頭となるように並び替えられている。
【００３０】
ステップＳ１０１において、コントロール部１０１は表紙、裏表紙のそれぞれに対応するページデータを除く印刷対象のページデータ数Ｎをカウントする。図３に示す例においては、１〜ｎページに対応するものであるから、ここでの印刷対象のページデータＮはｎと等しくなる。
【００３１】
次に、コントロール部１０１は連続媒体の用紙厚を元に予め定義された用紙厚係数と、ページデータ数Ｎとから表紙の調整量Ｗ（Ｗ＝Ｎ＊用紙厚係数）を算出する（ステップＳ１０２）。ここで、表紙の調整量Ｗとは、図３（ｃ）に示すように、最終印刷物として冊子を形成した際に背表紙（冊子厚さ）に相当する非印刷領域からなるマージンである。なお、用紙厚係数は印刷対象の媒体（連続媒体）を識別して動的に求めることが望ましいが、用紙種別や用紙厚のパラメータに対応した固定値でもかまわない。
【００３２】
ステップＳ１０３において、コントロール部１０１は全てのページデータに対して順に処理を行う。
【００３３】
まず、コントロール部１０１は印刷対象のページデータが表紙又は裏表紙の何れかに対応するものかの判断を行う。ここで、印刷対象のページデータが表紙又は裏表紙の何れかでない場合（ステップＳ１０４  Ｎｏ）、コントロール部１０１は、印刷部１０４を制御して連続媒体の両面に印刷を行わせる（ステップＳ１０５）。そして、コントロール部１０１は印刷が完了した連続媒体を媒体切断部１０５を制御することにより所定の媒体幅に切断させ（ステップＳ１０６）、出力させる（ステップＳ１０７）。
【００３４】
一方、印刷対象のページデータが表紙又は裏表紙の何れかである場合（ステップＳ１０４  Ｙｅｓ）、コントロール部１０１は表紙及び裏表紙の両方に対応するページデータの有無を確認する。
【００３５】
表紙及び裏表紙の両方に対応するページデータがある場合（ステップＳ１０８  Ｙｅｓ）、コントロール部１０１は、印刷部１０４を制御して一方のページデータに対応する画像を連続媒体の片面に印刷させた後（ステップＳ１０９）、調整量Ｗ分のフィードを行わせ（ステップＳ１１０）、他方のページデータに対応する画像を印刷させる（ステップＳ１１１）。そして、コントロール部１０１は印刷が完了した連続媒体を媒体切断部１０５を制御することにより所定の媒体幅に切断させ（ステップＳ１０６）、出力させる（ステップＳ１０７）。
【００３６】
ところで、表紙又は裏表紙の何れか一方に対応するページデータがある場合（ステップＳ１０８  Ｎｏ）、コントロール部１０１はフィードの要否を判定する。ここで、フィードが必要である場合（ステップＳ１１２  Ｙｅｓ）、コントロール部１０１は１ページデータ＋調整量Ｗ分のフィードを行わせた後に（ステップＳ１１３）、ページデータの印刷を行わせる（ステップＳ１１４）。一方、フィードが必要でない場合（ステップＳ１１２  Ｎｏ）、コントロール部１０１はページデータの印刷を行わせた後（ステップＳ１１５）、１ページデータ＋調整量Ｗ分のフィードを行わせる（ステップＳ１１６）。そして、コントロール部１０１は印刷が完了した連続媒体を媒体切断部１０５を制御することにより所定の媒体幅に切断させ（ステップＳ１０６）、出力させる（ステップＳ１０７）。
【００３７】
本実施形態では、図３（ｃ）の冊子印刷動作による出力結果に示されるように、非表紙のドキュメントの媒体幅（短手方向幅：Ｘ）の２倍の幅に対して冊子の厚さに応じた調整量Ｗが加算（２Ｘ＋Ｗ）されたサイズで表紙及び裏表紙に対応するドキュメントが印刷結果として得られる。なお、図３（ｃ）の括弧が付されたドキュメント（ページＮｏ）は排紙の際に下向きの面、括弧が付されていないドキュメントは排紙の際に上向きの面として出力されるものを表している。
【００３８】
以上のように、本実施形態によれば、非表紙のドキュメントの媒体幅（短手方向幅：Ｘ）の２倍の幅に対して冊子の厚さに応じた調整量Ｗが加算（２Ｘ＋Ｗ）されたサイズで表紙及び裏表紙を印刷結果として出力することにより、非表紙の用紙を表紙（裏表紙）で包んだ際に、表紙が寸足らずとなることを防止することができる。
【００３９】
［第２の実施形態］
第２の実施形態では、連続媒体に対して２Ｕｐ印刷を行い、これらの出力結果を中央で折り曲げて重ねることにより冊子を構成する形態について説明する。
【００４０】
第２の実施形態の構成は、第１の実施形態と同様とすることができるため、ここでの説明は省略する。
【００４１】
第２の実施形態に係る冊子印刷動作について図４、図５、及び図６を用いて説明する。図４は本実施形態に係る冊子印刷動作を説明するフローチャートであり、図５はページデータのレイアウトを説明する図であり、図６は本実施形態に係る冊子印刷動作による出力結果を表した図である。
【００４２】
まず、図４において、コンピュータ２００を介してユーザから作成したドキュメントに基づく冊子印刷の指示がなされると、画像形成装置１００のコントロール１０１は、印刷対象のドキュメントを記憶部１０３にスプールし、全ドキュメントの全ページ数をＮとする（ステップＳ２００）。
【００４３】
ステップＳ２０１において、コントロール部１０１は、スプールしたページ数、閉じ位置、表紙／裏表紙の有無等を判断し、各ページデータを出力するシート、位置を決定する（当該処理をページマッピングと称する）。
【００４４】
図５（ａ）は、９ページからなるドキュメントのページマッピングの例である。図５（ａ）において、ページ２１０１はページデータを表し、シート２１０２は出力するシート番号を表している。面２１０３はページデータを出力する媒体面を表し、位置２１０４は媒体面のどこの位置（見開き左：Ｌ、見開き右：Ｒ）にページデータを出力するかを表している。なお、面２１０３は排紙の際に下向きの面となるものをＡ（面）、上向きの面となるものをＢ（面）としている。
【００４５】
例えば、ページ２１０１における表紙は、シート番号１、排紙の際に下向きとなるＡ（面）、位置は見開き右であるＲとなる。
【００４６】
そして、ページ再配置部としてのコントロール部１０１は、ページマッピングした情報に基づき、ページデータの並び替えを行う（ステップＳ２０２）。図５（ｂ）は図５（ａ）で示したページマッピングした情報に基づき、シート２１０２、面２１０３をキーとして並び替えた例を示している。ここで、行２１０２には、面によりページデータ数が異なる等、不足がある場合に空白ページデータが追加されることが示されている。
【００４７】
次に、コントロール部１０１は、図５（ｂ）のページデータの並び替えの結果に基づき、各シートの同一面に配置するページデータを合成し、一連のシートとして印刷結果を出力するページデータを作成する（ステップＳ２０３）。ここで、コントロール部１０１は冊子の綴じ代となる位置に非印刷領域からなるマージンである調整量Ｗｎを設ける。調整量Ｗｎは、第１の実施形態で説明した方法と同様に、処理中シートの内側となるシートの枚数と用紙厚係数とから算出する。
【００４８】
図５（ｃ）は図５（ｂ）のページデータの並び替えの結果に基づき、各シートの同一面に配置するページデータの合成結果を表した図である。例えば、シート番号１のＡ（面）の位置Ｒに表紙（ページ）に対応するページデータが、シート番号１のＡ（面）の位置Ｌに裏表紙（ページ）に対応するページデータがそれぞれ配置され、両ページデータの中間には、調整量Ｗ１が設けられている。同様に、例えば、シート番号２のＡ（面）の位置Ｒに１ページに対応するページデータが、シート番号２のＡ（面）の位置Ｌに空白ページに対応するページデータがそれぞれ配置され、両ページデータの中間には、調整量Ｗ２が設けられている。このとき、シート番号１（表紙、裏表紙）のシートで覆われる内側のシート数は、シート番号２、３、４の３枚であり、シート番号２（１ページ、空白ページ）のシートで覆われる内側のシート数は、シート番号３、４の２枚である。したがって、調整量Ｗｎの大小関係は、Ｗ１＞Ｗ２（＞Ｗ３）となる。なお、本実施形態に係るシートは冊子を構成する際に調整量Ｗｎのマージンを介して折り曲げられて重ねられる。したがって、調整量Ｗｎを算出する場合は、連続媒体の用紙厚の２倍となる厚みを用紙厚係数として調整量Ｗｎの算出に用いてもよい。
【００４９】
ステップＳ２０４において、コントロール部１０１は合成したページデータに対して順に処理を行う。
【００５０】
まず、コントロール部１０１は処理対象の面情報に従い印刷部１０４を制御して連続媒体の両面に印刷を行わせる（ステップＳ２０５）。同一シートのページデータの印刷が完了すると、コントロール部１０１は連続媒体を媒体切断部１０５を制御することにより所定の媒体幅に切断させ（ステップＳ２０６）、出力させる（ステップＳ２０７）。なお、媒体切断部１０５による媒体切断時には、調整量Ｗｎに応じて小口部分の媒体切断幅を調整するように構成してもよい。すなわち、冊子の表紙、裏表紙の内側に配されるシート数が多いと調整量Ｗｎの値は大きくなり、逆にシート数が少ないと調整量Ｗｎの値は小さくなる。例えば、調整量Ｗｎの値が大きい際には、印刷位置（レイアウト領域）から媒体切断位置までの長さを狭めたり、調整量Ｗｎの値が小さい際には、印刷位置から媒体切断位置までの長さを広げたりするように制御することで、冊子の表紙、裏表紙の内側に配されるシート数の枚数によらず最終的な冊子体裁を整えることも可能である。
【００５１】
図６は、第２の実施形態に係る冊子印刷動作による出力結果を示している。なお、図６の括弧が付されたドキュメント（ページＮｏ）は排紙の際に下向きの面、括弧が付されていないドキュメントは排紙の際に上向きの面として出力されるものを表している。図６に示されるように、本実施形態によれば、連続媒体に対して２Ｕｐ印刷を行い、これらの出力結果を中央で折り曲げて重ねることにより冊子を構成する際に、内側のシート数に応じて外側のシートに印刷する各ページデータ（間）に所定の調整量を設けることにより、２つ折りした際に外側のシートが寸足らずとなることを防止することができる。
【００５２】
本発明の説明においては、一連の処理を画像形成装置のコントロール部が行う形態について説明したが、本発明はこれに限定されるものではない。例えば、コンピュータでページデータの並び替えや回転等の前処理を行い、前処理が済んだ印刷データを画像形成装置に送信することで処理能力の低い画像形成装置を用いて同等の効果を得ることも可能である。
【００５３】
また、上記実施形態で説明した冊子印刷の指示入力、表紙（裏表紙）、調整量Ｗの設定、綴じ位置指定等の各種設定をコンピュータの表示部にＧＵＩを介して表示させ、操作部を介してこれらの各設定を行う形態としても可能である。また、画像形成装置側にこれらの設定を行う表示・操作部を設けることもできる。
【００５４】
さらにまた、本実施形態の説明においては、調整量Ｗｎの算出において連続媒体の用紙厚に基づき算出する形態について説明したが、上記表示・操作部を介して調整量Ｗｎや用紙厚係数を指定又は選択可能とすることも可能である。
【００５５】
また、本発明の説明において印刷対象として連続媒体を用いる形態について説明したが、調整量Ｗｎの適用を受けないドキュメント（ページデータ）については、例えば、Ａ４サイズ等の定型サイズの媒体を使用することも可能である。また、定型サイズの媒体を切断して冊子を構成する前提であれば、調整量Ｗｎの適用を受けるドキュメント（ページデータ）に対しても本発明は適用可能である。
【符号の説明】
【００５６】
１００  画像形成装置
１０１  コントロール部
１０２  通信部
１０３  記憶部
１０４  印刷部
１０５  媒体切断部
２００  コンピュータ
２０１  記憶部
２０２  表示部
２０３  制御部
２０４  操作部
２０５  通信部
３００  画像形成システム
４００  電気信号線
【図１】
2018043406.tif 000003
【図２】
2018043406.tif 000004
【図３】
2018043406.tif 000005
【図４】
2018043406.tif 000006
【図５】
2018043406.tif 000007
【図６】
2018043406.tif 000008